(57)【特許請求の範囲】
【請求項１】
窓サッシの縦框の外面にサッシ部品を後付けするために前記縦框の内側に後付けされるサッシ部品固定裏板であって、
前記縦框のうち前記サッシ部品の取り付け面に貫通形成される裏板挿入孔に斜め上方又は斜め下方から挿入するための帯板形状をなしかつ、その長手方向に一端部から他端部に向かって順番に第１の螺子孔、第２の螺子孔及び第３の螺子孔を含む複数の螺子孔が並べて形成され、
前記第１の螺子孔には、前記裏板挿入孔から前記縦框内に全体が挿入された状態の前記サッシ部品固定裏板を前記縦框の外側から保持するための保持用ボルトが螺合され、
前記第２，第３の螺子孔のうちの一方の螺子孔には、前記縦框に貫通形成される螺子挿通孔を通して前記サッシ部品を取り付ける前に前記サッシ部品固定裏板を前記縦框に固定するための裏板固定用ボルトが螺合され、
前記第２，第３の螺子孔のうちの他方の螺子孔には、前記サッシ部品と前記縦框と前記サッシ部品固定裏板とを共締めするためのサッシ部品固定用ボルトが螺合されるように構成されたことを特徴とするサッシ部品固定裏板。
【請求項２】
前記複数の螺子孔は、前記第３の螺子孔を挟んで前記第２の螺子孔の反対側に配置された第４の螺子孔を含む前記第１〜第４の４つの螺子孔で構成され、
前記第２と第４の螺子孔に前記裏板固定用ボルトが螺合され、前記第３の螺子孔にサッシ部品固定用ボルトが螺合されるように構成されたことを特徴とする請求項１に記載のサッシ部品固定裏板。
【請求項３】
前記サッシ部品固定裏板の長手方向の中間部には、前記第３の螺子孔と同心の円弧状に前記サッシ部品固定裏板の両側縁部を側方に突出させた円弧突部が形成されていることを特徴とする請求項２に記載のサッシ部品固定裏板。
【請求項４】
前記第１と第２と第４の螺子孔が同一径、同一ピッチの螺子孔であることを特徴とする請求項２又は３に記載のサッシ部品固定裏板。
【請求項５】
窓サッシの縦框とその外面にサッシ部品を取り付けるためのサッシ部品取付構造であって、
前記縦框のうち前記サッシ部品の取り付け面の裏側に位置した前記縦框の内面には、前記縦框のうち前記サッシ部品の取り付け面に貫通形成された裏板挿入孔に対して斜め上方又は斜め下方から挿入可能な帯板形状をなしかつ、その長手方向に一端部から他端部に向かって順番に第１の螺子孔、第２の螺子孔及び第３の螺子孔を含む複数の螺子孔が並べて形成されたサッシ部品固定裏板が重ねられ、
前記第２，第３の螺子孔のうちの一方の螺子孔には、前記縦框に貫通形成された螺子挿通孔を通して前記サッシ部品を取り付ける前に前記サッシ部品固定裏板を前記縦框に固定するための裏板固定用ボルトが螺合され、
前記第２，第３の螺子孔のうちの他方の螺子孔には、前記サッシ部品と前記縦框と前記サッシ部品固定裏板とを共締めするためのサッシ部品固定用ボルトが螺合され、
前記第１の螺子孔には、前記裏板挿入孔から前記縦框内に挿入された状態の前記サッシ部品固定裏板を前記縦框の外側から保持するための保持用ボルトが螺合可能であることを特徴とするサッシ部品取付構造。
【請求項６】
前記サッシ部品１つに対して前記サッシ部品固定裏板が上下に２つ並べて備えられ、前記縦框のうち前記サッシ部品の取り付け面における上下方向の中央に１対の前記裏板挿入孔が配置されかつ前記中央から離れた側に前記螺子挿通孔が上下対称に配置されたことを特徴とする請求項５に記載のサッシ部品取付構造。
【発明の詳細な説明】
【技術分野】
【０００１】
本発明は、窓サッシの縦框にサッシ部品を後付けするためのサッシ部品固定裏板、サッシ部品取付構造及びサッシ部品取付方法に関する。
【背景技術】
【０００２】
一般的に、窓サッシの縦框に対してサッシ部品を後付けする場合には、取付下地である縦框を補強するために裏板を取り付ける。その一例として、縦框を室内外から挟むようにサッシ部品と裏板とを配置し、それらサッシ部品と縦框と裏板とをボルトで共締めした取付構造が従来より知られている（例えば、非特許文献１参照）。
【先行技術文献】
【非特許文献】
【０００３】
【非特許文献１】トステム株式会社、ｗｅｂカタログ、［ｏｎｌｉｎｅ］、［平成２２年３月１０日検索］、インターネット［URL:http://cextension.jp/tostem/TA6500/1083.pdf］
【発明の概要】
【発明が解決しようとする課題】
【０００４】
ところが、上述した従来のサッシ部品取付構造では、裏板が窓サッシの外面に露出するため、窓サッシの見栄えが損なわれるという問題があった。
【０００５】
本発明は、上記事情に鑑みてなされたものであって、見栄えを損なうことなくサッシ部品を窓サッシに後付けすることが可能なサッシ部品固定裏板、サッシ部品取付構造及びサッシ部品取付方法の提供を目的とする。
【課題を解決するための手段】
【０００６】
上記目的を達成するためになされた請求項１の発明に係るサッシ部品固定裏板は、窓サッシの縦框の外面にサッシ部品を後付けするために縦框の内側に後付けされるサッシ部品固定裏板であって、縦框のうちサッシ部品の取り付け面に貫通形成される裏板挿入孔に斜め上方又は斜め下方から挿入するための帯板形状をなしかつ、その長手方向に一端部から他端部に向かって順番に第１の螺子孔、第２の螺子孔及び第３の螺子孔を含む複数の螺子孔が並べて形成され、第１の螺子孔には、裏板挿入孔から縦框内に全体が挿入された状態のサッシ部品固定裏板を縦框の外側から保持するための保持用ボルトが螺合され、第２，第３の螺子孔のうちの一方の螺子孔には、縦框に貫通形成される螺子挿通孔を通してサッシ部品を取り付ける前にサッシ部品固定裏板を縦框に固定するための裏板固定用ボルトが螺合され、第２，第３の螺子孔のうちの他方の螺子孔には、サッシ部品と縦框とサッシ部品固定裏板とを共締めするためのサッシ部品固定用ボルトが螺合されるように構成されたところに特徴を有する。
【０００７】
請求項２の発明は、請求項１に記載のサッシ部品固定裏板において、複数の螺子孔は、第３の螺子孔を挟んで第２の螺子孔の反対側に配置された第４の螺子孔を含む第１〜第４の４つの螺子孔で構成され、第２と第４の螺子孔に裏板固定用ボルトが螺合され、第３の螺子孔にサッシ部品固定用ボルトが螺合されるように構成されたところに特徴を有する。
【０００８】
請求項３の発明は、請求項２に記載のサッシ部品固定裏板において、サッシ部品固定裏板の長手方向の中間部には、第３の螺子孔と同心の円弧状にサッシ部品固定裏板の両側縁部を側方に突出させた円弧突部が形成されているところに特徴を有する。
【０００９】
請求項４の発明は、請求項２又は３に記載のサッシ部品固定裏板において、第１と第２と第４の螺子孔が同一径、同一ピッチの螺子孔であるところに特徴を有する。
【００１０】
請求項５の発明に係るサッシ部品取付構造は、窓サッシの縦框とその外面にサッシ部品を取り付けるためのサッシ部品取付構造であって、縦框のうちサッシ部品の取り付け面の裏側に位置した縦框の内面には、縦框のうち前記サッシ部品の取り付け面に貫通形成された裏板挿入孔に対して斜め上方又は斜め下方から挿入可能な帯板形状をなしかつ、その長手方向に一端部から他端部に向かって順番に第１の螺子孔、第２の螺子孔及び第３の螺子孔を含む複数の螺子孔が並べて形成されたサッシ部品固定裏板が重ねられ、第２，第３の螺子孔のうちの一方の螺子孔には、縦框に貫通形成された螺子挿通孔を通してサッシ部品を取り付ける前にサッシ部品固定裏板を縦框に固定するための裏板固定用ボルトが螺合され、第２，第３の螺子孔のうちの他方の螺子孔には、サッシ部品と縦框とサッシ部品固定裏板とを共締めするためのサッシ部品固定用ボルトが螺合され、第１の螺子孔には、裏板挿入孔から縦框内に挿入された状態のサッシ部品固定裏板を縦框の外側から保持するための保持用ボルトが螺合可能であるところに特徴を有する。
【００１１】
請求項６の発明は、請求項５に記載のサッシ部品取付構造において、サッシ部品１つに対してサッシ部品固定裏板が上下に２つ並べて備えられ、縦框のうちサッシ部品の取り付け面における上下方向の中央に１対の裏板挿入孔が配置されかつ中央から離れた側に螺子挿通孔が上下対称に配置されたところに特徴を有する。
【発明の効果】
【００１３】
［請求項１の発明］
請求項１に記載のサッシ部品固定裏板を使用してサッシ部品を窓サッシの縦框に後付けする場合は、サッシ部品固定裏板の長手方向における一端部に形成された第１の螺子孔に保持用ボルトを螺合してその保持用ボルトを把持し、縦框を貫通した裏板挿入孔に対して斜め上方又は斜め下方からサッシ部品固定裏板を挿入し、サッシ部品固定裏板の全体を縦框内に挿入した状態で保持する。その状態で、縦框の螺子挿通孔に通された裏板固定用ボルトを、サッシ部品固定裏板に形成された第２又は第３の螺子孔の一方に螺合することでサッシ部品固定裏板を縦框の内部に固定しておき、第２又は第３の螺子孔の他方に縦框の外部からサッシ部品固定用ボルトを螺合して、サッシ部品と縦框とサッシ部品固定裏板とを共締めする。このように本発明によれば、サッシ部品固定裏板が縦框の内部に配置されるので、見栄えを損なうことなくサッシ部品を窓サッシに後付けすることができる。
【００１４】
［請求項２の発明］
請求項２の発明によれば、２つの螺子孔、即ち、第２と第４の螺子孔に裏板固定用ボルトが螺合されるので、サッシ部品固定裏板の取付強度が向上する。
【００１５】
［請求項３の発明］
請求項３の発明によれば、サッシ部品固定裏板のうち第３の螺子孔の側方部分の強度を確保することができる。
【００１６】
［請求項４の発明］
請求項４の発明によれば、保持用ボルトとして、裏板固定用ボルトを流用することができる。具体的には、例えば、第１の螺子孔に螺合させた保持用ボルトとしての裏板固定用ボルトを把持してサッシ部品固定裏板を裏板挿入孔から縦框の内部に挿入し、その状態で別の裏板固定用ボルトを第２又は第４の螺子孔の一方に螺合させて仮固定しておく。そして、保持用ボルトとしての裏板固定用ボルトを第１の螺子孔から取り外して、第２又は第４の螺子孔の他方に螺合させることで、サッシ部品固定裏板を縦框の内部に固定する。つまり、裏板固定用ボルトとは別に保持用ボルトを用意する必要が無くなる。
【００１７】
［請求項５の発明］
請求項５のサッシ部品取付構造によりサッシ部品を後付けする場合は、サッシ部品固定裏板の長手方向における一端部に形成された第１の螺子孔に保持用ボルトを螺合してその保持用ボルトを把持し、縦框のうちサッシ部品の取り付け面を貫通した裏板挿入孔に対して斜め上方又は斜め下方からサッシ部品固定裏板を挿入し、縦框の内面に重ねた状態で保持する。その状態で、縦框に形成された螺子挿通孔に裏板固定用ボルトを通してサッシ部品固定裏板に形成された第２又は第３の螺子孔の一方に螺合し、サッシ部品固定裏板を縦框の内部に固定する。更に、第２又は第３の螺子孔の他方にサッシ部品固定用ボルトを螺合して、サッシ部品と縦框とサッシ部品固定裏板とを共締めする。このように、本発明によれば、サッシ部品固定裏板が縦框の内部に配置されるので、見栄えを損なうことなくサッシ部品を窓サッシに後付けすることができる。
【００１８】
［請求項６の発明］
請求項６の発明によれば、２つのサッシ部品固定裏板の取付間隔を変更することで、多様なサッシ部品の取り付けに柔軟に対応することが可能となる。
【図面の簡単な説明】
【００２０】
【図１】本発明の一実施形態に係るサッシ部品固定裏板を使用してアシストハンドル装置を後付けした窓サッシの正面図
【図２】アシストハンドル装置が後付けされた戸先框の斜視図
【図３】開放操作したときのアシストハンドル装置の正面図
【図４】アシストハンドル装置が後付けされた戸先框及びサッシ部品固定裏板の側断面図
【図５】サッシ部品固定裏板の（Ａ）正面図、（Ｂ）側断面図
【図６】裏板挿通孔、裏板固定用挿通孔、部品固定用挿通孔が穿孔された戸先框の斜視図
【図７】（Ａ）サッシ部品固定裏板を裏板挿入孔に挿入する過程の戸先框の側断面図、（Ｂ）サッシ部品固定裏板を戸先框内面に重ねた状態の戸先框の側断面図、（Ｃ）サッシ部品固定裏板を戸先框に固定する過程の戸先框の側断面図、（Ｄ）アシストハンドル装置が固定された状態の戸先框の側断面図
【図８】（Ａ）及び（Ｂ）参考例のサッシ部品取付構造を有する戸先框の側断面図
【図９】サッシ部品取付構造を有する戸先框の平断面図
【図１０】（Ａ）及び（Ｂ）参考例に係るサッシ部品固定裏板の平面図及び断面図
【図１１】参考例に係るサッシ部品取付方法を説明するための戸先框の側断面図
【図１２】参考例に係るサッシ部品取付方法を説明するための戸先框の側断面図
【発明を実施するための形態】
【００２１】
以下、本発明の一実施形態を図１〜図７に基づいて説明する。図１に示すように、建物の壁に形成されたサッシ枠１０の内側には１対の窓サッシ１１，１１が嵌め込まれている。これら１対の窓サッシ１１，１１はサッシ枠１０の内側で水平方向にスライド可能な所謂「引き違い式」の窓サッシであって、例えば、矩形枠状の框２０の内側にガラス板１２を張った構造をなしている。框２０はアルミ製又は樹脂製であって、上下方向に延びた１対の縦框２１，２２と、１対の縦框２１，２２の上端間を連結した上框２３と、１対の縦框２１，２２の下端間を連結した下框２４とで構成されている。これら縦框２１，２２、上框２３及び下框２４でガラス板１２の四辺を保持している。
【００２２】
框２０のうち、１対の縦框２１，２２は中空の角筒構造をなしている。それら１対の縦框２１，２２のうち、窓サッシ１１，１１を閉じてサッシ枠１０を閉塞したときに召し合わせ部となる両窓サッシ１１，１１の縦框２１，２１（以下、「戸尻框２１，２１」という）には、１対の窓サッシ１１，１１を閉塞位置で移動不能にする錠装置１３（例えば、クレセント錠）が取り付けられている。
【００２３】
図２に示すように、窓サッシ１１のうち、窓サッシ１１を閉めたときにサッシ枠１０の内面１０Ａに接合される側の縦框２２（以下、「戸先框２２」という）の先端面２２Ｓからは、サッシ枠１０の内面１０Ａに向けて１対の突壁２２Ｔ，２２Ｔが突出している。サッシ枠１０の内面１０Ａには縦溝（図示せず）が形成され、窓サッシ１１が閉じられるとサッシの突壁２２Ｔ，２２Ｔが縦溝内に突入する。
【００２４】
ところで、標準仕様の窓サッシ１１，１１は、戸先框２２の全体が手掛け部となっており、戸先框２２の先端面２２Ｓに手を掛けて横にスライド操作することで、窓サッシ１１，１１を開放することができる。しかしながら、力の弱い子供や高齢者にとってはこの操作が困難となる場合があり、より軽い操作力で開放できるようにしたいという要望がある。このような要望に対応するため、開放操作する際に窓サッシ１１の初動抵抗を軽減することが可能なアシストハンドル装置１４（本発明の「サッシ部品」に相当する）が、窓サッシ１１，１１とは別部品で用意されており、窓サッシ１１，１１の戸先框２２，２２に対して後付け可能となっている。
【００２５】
図１に示すように、アシストハンドル装置１４は、戸先框２２，２２の室内面２２Ａ，２２Ａに取り付けられている。アシストハンドル１４は、戸先框２２の室内面２２Ａに宛がって固定される固定ベース１５と、固定ベース１５に対して窓サッシ１１のスライド方向と直交した水平軸Ｊ１を中心にして回動可能なハンドル部１６と、ハンドル部１６の回動に連動して固定ベース１５の内部から出没するアシスト突部１７とを備えている。
【００２６】
図２に示すように、固定ベース１５の上端寄り部分には、サッシ枠１０側を向いた側面にアシスト窓１５Ｗが形成されている。図３に示すように、通常は、アシスト突部１７が固定ベース１５の内部に収容された状態で、固定ベース１５のアシスト窓１５Ｗに臨んでいる。そして、ハンドル部１６を把持して戸尻側に回動操作すると、アシスト突部１７の先端部分がアシスト窓１５Ｗから前方に突き出てサッシ枠１０の内面１０Ａに当接し、サッシ枠１０と戸先框２２との間を押し広げる。
【００２７】
さて、図４に示すように、アシストハンドル装置１４は、戸先框２２の内部に後付けされた１対のサッシ部品固定裏板３０，３０（以下、単に「裏板３０，３０」という）を使用して戸先框２２に後付けされている。１対の裏板３０，３０は、金属製で同一形状をなしている。
【００２８】
裏板３０，３０は戸先框２２を構成する筒壁のうち前記室内面２２Ａの裏面２２Ｂ（以下、「筒壁内面２２Ｂ」という）に重ねて上下対称に配置されている。これら裏板３０，３０により、アシストハンドル装置１４の取付下地である戸先框２２の筒壁を補強している。
【００２９】
裏板３０，３０は、戸先框２２に沿って上下方向に延びた帯板形状をなし、その長手方向の両端縁が外側に膨らんだ円弧状になっている（図５（Ａ）参照）。また、複数の螺子孔３２，３３，３４が裏板３０，３０の長手方向に並んで貫通形成されている。
【００３０】
裏板３０の長手方向の一端部には、保持用ボルト螺子孔３３（本発明の「第１の螺子孔」に相当する）が貫通形成されている。裏板３０の長手方向の中間部には、アシストハンドル装置１４を固定するためのサッシ部品固定用螺子孔３２（本発明の「第３の螺子孔」に相当する）が形成されている。サッシ部品固定用螺子孔３２のうち、裏板３０の筒壁内面２２Ｂに重ねられる面とは反対面の開口縁には、円筒状に突出したバーリング筒部３２Ｔが形成されている。
【００３１】
裏板３０の長手方向の他端部並びに、保持用ボルト螺子孔３３とサッシ部品固定用螺子孔３２との中間位置には、それぞれ裏板固定用螺子孔３４，３４が貫通形成されている。図４に示すように、戸先框２２の筒壁を外側から貫通した２つの裏板固定用ボルト４４，４４がこれら２つの裏板固定用螺子孔３４，３４に螺合することで、裏板３０が戸先框２２の筒壁内面２２Ｂに重ねて固定されている。なお、２つの裏板固定用螺子孔３４，３４のうち、裏板３０の長手方向の一端部側の裏板固定用螺子孔３４が本発明の「第２の螺子孔」に相当し、裏板３０の長手方向の他端部側の裏板固定用螺子孔３４が本発明の「第４の螺子孔」に相当する。
【００３２】
また、戸先框２２の筒壁を貫通した２つのサッシ部品固定用ボルト４５，４５が、１対の裏板３０，３０にそれぞれ形成されたサッシ部品固定用螺子孔３２，３２に螺合することで、アシストハンドル装置１４、戸先框２２及び１対の裏板３０，３０が共締めされ、アシストハンドル装置１４が戸先框２２の室内面２２Ａに固定される。
【００３３】
ここで、裏板固定用螺子孔３４，３４と保持用ボルト螺子孔３３は同一径、同一ピッチの螺子孔であり、裏板固定用ボルト４４を保持用ボルト螺子孔３３に螺合させることが可能となっている。
【００３４】
また、サッシ部品固定用螺子孔３２は、裏板固定用螺子孔３４，３４及び保持用ボルト螺子孔３３よりも大径となっている。そして、裏板３０におけるサッシ部品固定用螺子孔３２の側方部分の強度を確保するために、裏板３０の長手方向の中間部には、サッシ部品固定用螺子孔３２と同心の円弧状に裏板３０の両側縁部を側方に突出させた円弧突部３２Ｅ，３２Ｅが形成されている。
【００３５】
本実施形態の構成は以上であって、次に、裏板３０，３０を使用してアシストハンドル装置１４を戸先框２２に後付けする方法について説明する。なお、説明の便宜のため、裏板３０において保持用ボルト螺子孔３３に近い側を基端側といい、その反対側を先端側という。
【００３６】
アシストハンドル装置１４を戸先框２２に後付けする場合には先ず、戸先框２２の室内面２２Ａのうちアシストハンドル装置１４を取り付ける部分に、裏板３０の螺子孔３２，３３，３４，３４に対応させて複数の貫通孔を穿孔する。具体的には、図６に示すように、裏板３０を戸先框２２の内部に挿入するための裏板挿入孔２５と、裏板３０の裏板固定用螺子孔３４，３４と連通させるための裏板固定用挿通孔２６，２６（本発明の「螺子挿通孔」に相当する）と、裏板３０のサッシ部品固定用螺子孔３２と連通させるための部品固定用挿通孔２７とを貫通形成する。裏板挿入孔２５は、他の３つの挿通孔２６，２６，２７が裏板３０の対応する螺子孔３２，３４，３４と一致した状態で、保持用ボルト螺子孔３３と連通する位置に形成される。また、裏板挿入孔２５以外の挿通孔２６，２６，２７に、裏板３０を挿入することは不可能である。
【００３７】
また、本実施形態では、１つのアシストハンドル装置１４を２つの裏板３０，３０で固定する構成なので、２つの裏板３０，３０の取付位置にそれぞれ、上述した複数の孔２５，２６，２６，２７をドリルで貫通形成する。本実施形態では、戸先框２２の室内面２２Ａにおける上下方向の中央に１対の裏板挿入孔２５，２５が配置され、上下方向の中央（１対の裏板挿入孔２５，２５）から離れた側に、裏板固定用挿通孔２６，２６及び部品固定用挿通孔２７が上下対称に配置されている。
【００３８】
次いで、１対の裏板挿入孔２５，２５にそれぞれ裏板３０，３０を挿入して戸先框２２の内側に固定する。以下、戸先框２２に対して上下対称に固定される１対の裏板３０，３０のうち、下側に固定される裏板３０の固定方法について図７を参照しつつ説明する。
【００３９】
先ず、１つの裏板３０に対して２つ用意された裏板固定用ボルト４４，４４のうち、一方の裏板固定用ボルト４４の先端部を裏板３０の保持用ボルト螺子孔３３に螺合して「保持用ボルト」とし、その「保持用ボルト」としての裏板固定用ボルト４４の基端部を把持して、裏板挿入孔２５から戸先框２２の内部に裏板３０を挿入する。即ち、図７（Ａ）に示すように、裏板挿入孔２５に対して斜め上方から裏板３０の先端を挿入し、そのまま戸先框２２の内部に斜めに挿入する。そして、裏板３０の基端側を除くほぼ全体が戸先框２２内に挿入されたら、同図（Ｂ）に示すように、裏板３０の基端側を中心にして裏板３０が略垂直になるように回動操作し、裏板３０の全体を戸先框２２内に挿入すると共に戸先框２２の筒壁内面２２Ｂに重ねる。ここで、裏板３０のうち裏板挿入孔２５に挿入する際の先端縁が外側に膨らんだ円弧状になっているので、裏板３０が裏板挿入孔２５の開口縁に引っ掛かり難くなっており、裏板挿入孔２５への裏板３０の挿入作業をスムーズに行うことができる。
【００４０】
次いで「保持用ボルト」としての裏板固定用ボルト４４によって戸先框２２内の裏板３０を移動させ、裏板固定用螺子孔３４，３４と戸先框２２の裏板固定用挿通孔２６，２６とが一致するように裏板３０の位置を調節する。裏板固定用螺子孔３４，３４と戸先框２２の裏板固定用挿通孔２６，２６とが一致したら、図７（Ｃ）に示すように、「保持用ボルト」として使用されていない他方の裏板固定用ボルト４４を、戸先框２２の外部から裏板固定用挿通孔２６に挿入して、戸先框２２の内部で一方の裏板固定用螺子孔３４と螺合させる。これで裏板３０が戸先框２２に対して仮固定される。
【００４１】
次いで、保持用ボルト螺子孔３３に螺合された「保持用ボルト」としての裏板固定用ボルト４４を取り外して、その裏板固定用ボルト４４を、残った裏板固定用挿通孔２６から戸先框２２の内部に挿入し、残ったもう１つの裏板固定用螺子孔３４に螺合させる。つまり、戸先框２２内に全体が挿入された裏板３０を戸先框２２の外側から保持するための「保持用ボルト」としての役目を終えた裏板固定用ボルト４４を、今度は、裏板３０を戸先框２２に固定するために使用する。これで裏板３０は、２つの裏板固定用ボルト４４，４４により戸先框２２の内部に移動不能に固定される。
【００４２】
なお、戸先框２２に対して上下対称に固定される１対の裏板３０，３０のうち、上側に固定される裏板３０の固定方法は、裏板挿入孔２５に対して斜め下方から裏板３０を挿入する点以外は、上記した手順と同一であるので説明は省略する。
【００４３】
２つの裏板３０，３０を戸先框２２に固定したら、次に、アシストハンドル装置１４の固定ベース１５を戸先框２２の室内面２２Ａに宛がい、２つのサッシ部品固定用ボルト４５，４５を、戸先框２２の部品固定用挿通孔２７，２７から戸先框２２内に挿入して、１対の裏板３０，３０にそれぞれ形成されたサッシ部品固定用螺子孔３２，３２と螺合させる（図７（Ｄ）参照）。
【００４４】
これにより、アシストハンドル装置１４（固定ベース１５）と、戸先框２２と、２つの裏板３０，３０とが共締めされ、アシストハンドル装置１４が戸先框２２の室内面２２Ａに強固に固定される。なお、戸先框２２の室内面２２Ａに開放した裏板挿入孔２５，２５は、アシストハンドル装置１４を固定するとアシストハンドル装置１４に覆われて外から見えなくなる。
【００４５】
このように、本実施形態によれば、窓サッシ１１の縦框である戸先框２２にアシストハンドル装置１４を後付けするために戸先框２２に後付けされる裏板３０が、筒形構造をなした戸先框２２の内部に配置されるので、窓サッシ１１の見栄えを損なうことなくアシストハンドル装置１４を窓サッシ１１に後付けすることができる。また、アシストハンドル装置１４を固定するためのサッシ部品固定用螺子孔３２が、バーリング孔になっているので、アシストハンドル装置１４の取付強度を向上させることができる。また、裏板固定用ボルト４４を「保持用ボルト」として流用することができるので、裏板固定用ボルト４４とは別に「保持用ボルト」を用意する必要が無くなる。また、２つの裏板３０，３０の取付間隔を変更することで、アシストハンドル装置１４以外の多様なサッシ部品の取り付けにも柔軟に対応することが可能となる。
【００４６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４７】
（１）上記実施形態では、本発明に係る「サッシ部品」の一例として、アシストハンドル装置１４を例示したが、アシスト機能の無いハンドルや、窓サッシ１１の戸尻框２１又は戸先框２２に取り付けられる補助錠装置等、他のサッシ部品を上述した取付構造により固定してもよい。
【００４８】
（２）上記実施形態では、１つの裏板３０にサッシ部品固定用螺子孔３２が１つだけ設けられかつ、２つの裏板３０，３０を使用して１つのサッシ部品（アシストハンドル装置１４）を固定する構造であったが、裏板３０の全長を延長して１つの裏板３０にサッシ部品固定用螺子孔３２を複数個設け、１つの裏板３０で１つのサッシ部品を固定する構成にしてもよい。
【００４９】
（３）上記実施形態では、裏板３０の長手方向の両端縁を外側に膨らんだ円弧状としていたが、それら両端縁を台形状や三角形状にしても、円弧状とした場合と同等の効果を奏する。
【００５０】
（４）裏板３０に形成された保持用ボルト螺子孔３３、裏板固定用螺子孔３４、サッシ部品固定用螺子孔３２の配置及び数は、上記実施形態に限定するものではない。
【００５１】
（５）上記実施形態では、戸先框２２内に挿入された裏板３０を戸先框２２の外側から保持するための「保持用ボルト」として、裏板固定用ボルト４４を流用可能な構成であったが、保持用ボルト螺子孔３３とサッシ部品固定用螺子孔３２とを同一径、同一ピッチとし、「保持用ボルト」としてサッシ部品固定用ボルト４５を流用可能な構成としてもよい。また、裏板固定用ボルト４４及びサッシ部品固定用ボルト４５とは別に、専用の保持用ボルトを利用する構成でもよい。
【００５２】
（６）裏板固定用ボルト４４を「保持用ボルト」として利用する場合、裏板固定用ボルト４４の長さを、戸先框２２の内部に収まる範囲でできるだけ長くするとよい。その理由は、例えば、裏板３０を裏板挿入孔２５から戸先框２２内に挿入しただけの状態（図７（Ｂ）参照）で、誤って保持用ボルトとしての裏板固定用ボルト４４から手を離してしまった場合に、裏板固定用ボルト４４を戸先框２２の内部に収まる範囲でできるだけ長くしておくと、裏板固定用ボルト４４が裏板挿入孔２５の開口縁に引っ掛かって裏板３０が戸先框２２の内部で落下してしまうことを防ぐことができるからである。
【００５３】
（７）上記実施形態では、裏板３０を、縦框２２のうちサッシ部品の取り付け面（室内面２２Ａ）を貫通した裏板挿入孔２５から縦框２２内に挿入して取り付けていたが、裏板３０は、縦框２２のうちサッシ部品の取り付け面とは反対の外面（上記実施形態では室外面）を貫通した開口部から縦框２２内に挿入し、室内面２２Ａの裏面２２Ｂに取り付けて使用することも可能である。なお、裏板３０を挿入する開口部は、サッシ部品の取り付けに際して貫通形成してもよいし、縦框２２に最初から貫通形成されている開口部（例えば、堀込み式の取っ手部品を取り付けるための開口部）を利用してもよい。
【００５４】
（８）本発明の技術的範囲には含まれない参考例としてのサッシ部品固定裏板５０（以下、「裏板５０」という）、サッシ部品取付構造及びサッシ部品取付方法を、図８〜図１２に基づいて説明する。図８及び図９には、戸先框２２に対してサッシ部品（アシストハンドル装置１４）を取り付けた場合の取付構造が示されており、図１０には、この取付構造に使用される裏板５０が示されている。
【００５５】
図８及び図９に示すように、戸先框２２の内部には、室内面２２Ａ及び室外面２２Ｃと平行に上下方向に延びた内部壁２９が備えられている。戸先框２２の室外面２２Ｃには、上下方向に延びた縦長開口２８が貫通形成されている。縦長開口２８には、堀込み式の取っ手部品４０が着脱可能に取り付けられ、常には、取っ手部品４０によって閉塞されている（図９参照）。
【００５６】
図１０に示すように、裏板５０は帯板形状をなすと共に、長手方向の中間部には一方の側縁部を側方に突出させた角形突部５０Ｋが形成されている。また、長手方向の両端寄り位置に、アシストハンドル装置１４を固定するためのサッシ部品固定用螺子孔３２，３２が貫通形成されると共に、角形突部５０Ｋが突出した部分に裏板固定用螺子孔３４が貫通形成されている。ここで、サッシ部品固定用螺子孔３２は、図１０（Ａ）に示すように、裏板５０の長手方向の両端寄り位置の２箇所だけに設けてもよいし、同図（Ｂ）に示すように、裏板５０の長手方向の両端寄り位置と中間部との３箇所に設けてもよい。なお、図９は、図１０（Ａ）に示したタイプの裏板５０を使用してアシストハンドル装置１４を戸先框２２に取り付けた場合を示したものである。
【００５７】
以下、図１０（Ａ）に示したタイプの裏板５０を使用してアシストハンドル装置１４を固定する場合の取付構造及び取付方法について説明する。図８に示すように、裏板５０は、戸先框２２の内部壁２９のうち縦長開口２８との対向面に重ねられ、裏板固定用ボルト４４により戸先框２２の内部に固定されると共に、２つのサッシ部品固定用ボルト４５，４５によってアシストハンドル装置１４（固定ベース１５）及び戸先框２２と共締めされている。裏板固定用ボルト４４は、戸先框２２の室内面２２Ａ側から戸先框２２内に挿入され、内部壁２９を貫通して裏板固定用螺子孔３４と螺合している。同様に、２つのサッシ部品固定用ボルト４５，４５も室内面２２Ａ側から戸先框２２内に挿入され、内部壁２９を貫通してサッシ部品固定用螺子孔３２，３２に螺合している。
【００５８】
上述したサッシ部品取付構造によりアシストハンドル装置１４を戸先框２２に後付けする場合には、先ず、戸先框２２の室内面２２Ａ及び内部壁２９に、裏板５０の螺子孔３２，３２，３４に対応させてそれぞれ貫通孔を穿孔する。具体的には、図８（Ａ）に示すように、裏板５０の裏板固定用螺子孔３４と連通させるための裏板固定用挿通孔２６，２９Ｂと、裏板５０のサッシ部品固定用螺子孔３２，３２と連通させるための部品固定用挿通孔２７，２７，２９Ａ，２９Ａとを貫通形成する。
【００５９】
次いで、戸先框２２の室外面２２Ｃから取っ手部品４０を取り外し、縦長開口２８から裏板５０を戸先框２２内に挿入する。具体的には、裏板５０の裏板固定用螺子孔３４に裏板固定用ボルト４４の先端部を螺合してその裏板固定用ボルト４４の基端部を把持し、縦長開口２８の上下幅が裏板５０の全長より短い場合（図８（Ａ）参照）には、図１１（Ａ）に示すように、縦長開口２８に対して斜め上方又は斜め下方から裏板５０を挿入する。なお、図８（Ｂ）に示すように縦長開口２８の上下幅が裏板５０の全長より長い場合は、裏板５０を縦長開口２８に対して傾けることなく挿入することができる。
【００６０】
裏板５０の全体を戸先框２２内に挿入したら、裏板５０を戸先框２２内の内部壁２９に重ねる。ここで図１１（Ｂ）に示すように、裏板５０を内部壁２９に重ねた状態で、裏板固定用螺子孔３４に螺合された裏板固定用ボルト４４が、縦長開口２８から突出しているので、誤って裏板固定用ボルト４４から手を離してしまった場合でも、裏板固定用ボルト４４が縦長開口２８の開口縁に引っ掛かり、裏板５０が戸先框２２の内部で落下してしまうことを防ぐことができる。
【００６１】
次に、裏板固定用ボルト４４によって戸先框２２内の裏板５０を移動させ、部品固定用挿通孔２７，２７，２９Ａ，２９Ａとサッシ部品固定用螺子孔３２，３２とが一致するように裏板５０の位置を調節する（図１１（Ｃ）参照）。一致したら、アシストハンドル装置１４の固定ベース１５を戸先框２２の室内面２２Ａに宛がい、２つのサッシ部品固定用ボルト４５，４５を、戸先框２２の部品固定用挿通孔２７，２７，２９Ａ，２９Ａに挿通させて、裏板５０に形成されたサッシ部品固定用螺子孔３２，３２と螺合させる（図１２７（Ａ）参照。なお、同図ではアシストハンドル装置１４が省略されている）。これにより、アシストハンドル装置１４（固定ベース１５）と、戸先框２２と、裏板５０とが共締めされる。
【００６２】
次いで、図１２（Ａ）から同図（Ｂ）への変化に示すように裏板固定用螺子孔３４に螺合した裏板固定用ボルト４４を縦長開口２８から抜き取り、戸先框２２の室内面２２Ａ及び内部壁２９を貫通した裏板固定用挿通孔２６，２９Ｂに挿通して、再度、裏板固定用螺子孔３４に螺合する。なお、図１２（Ｂ）では、アシストハンドル装置１４が省略されている。これで裏板５０は、裏板固定用ボルト４４により戸先框２２の内部に固定される（図１２（Ｃ）参照）。最後に、取っ手部品４０を元通りに取り付けて縦長開口２８を閉塞する。以上が、参考例に係るサッシ部品取付方法の説明である。
【符号の説明】
【００６３】
１１    窓サッシ
１４    アシストハンドル装置（サッシ部品）
２１，２２    縦框
２２Ａ    室内面（サッシ部品の取り付け面）
２２Ｂ    筒壁内面（縦框の内面）
２５    裏板挿入孔（貫通孔）
２６    裏板固定用挿通孔（螺子挿通孔、貫通孔）
２７    部品固定用挿通孔（貫通孔）
３０    サッシ部品固定裏板
３２    サッシ部品固定用螺子孔（第３の螺子孔）
３２Ｅ，３２Ｅ    円弧突部
３３    保持用ボルト螺子孔（第１の螺子孔）
３４，３４    裏板固定用螺子孔（第２，第４の螺子孔）
４４    裏板固定用ボルト
４５    サッシ部品固定用ボルト
【図１】
0005590708.tif 000002
【図２】
0005590708.tif 000003
【図３】
0005590708.tif 000004
【図４】
0005590708.tif 000005
【図５】
0005590708.tif 000006
【図６】
0005590708.tif 000007
【図７】
0005590708.tif 000008
【図８】
0005590708.tif 000009
【図９】
0005590708.tif 000010
【図１０】
0005590708.tif 000011
【図１１】
0005590708.tif 000012
【図１２】
0005590708.tif 000013